(57)【特許請求の範囲】
【請求項１】
読み取り対象物を支持可能な支持部と、
前記支持部によって支持された前記読み取り対象物から画像を読み取り可能な読み取り部と、
前記読み取り部によって読み取られた画像を表す画像データに関するデータ処理を実行可能な処理部と、
画像が形成される領域である画像形成領域となる面を有する被記録媒体に対して画像を形成可能な画像形成部と
を備え、
前記処理部は、
前記読み取り部によって第一の画像を読み取る第一読み取り処理と、
前記読み取り部によって第二の画像を読み取る第二読み取り処理と、
前記画像形成領域内に、前記第一読み取り処理によって読み取られた前記第一の画像と、前記第二読み取り処理によって読み取られた前記第二の画像とを、原寸大で形成する画像形成処理と、
前記第一の画像と前記第二の画像との間に設けられる余白のサイズを、複数通りのサイズのいずれかに設定する余白サイズ設定処理と
を実行可能であり、
前記画像形成処理では、前記余白サイズ設定処理により設定された余白のサイズに基づいて、当該サイズの余白を前記第一の画像と前記第二の画像との間に設け、
前記処理部は、前記画像形成処理においては、前記画像形成部によって前記被記録媒体に前記第一の画像及び前記第二の画像を形成する
画像処理装置。
【請求項２】
請求項１に記載の画像処理装置であって、
前記処理部は、
前記被記録媒体のサイズに関する複数の選択肢があらかじめ用意され、前記複数の選択肢の中から利用者操作によって指定される一つの選択肢を選択する媒体サイズ選択処理を実行可能に構成され、
前記画像形成処理において、前記媒体サイズ選択処理において選択された前記被記録媒体のサイズに応じて、前記余白のサイズを設定可能に構成されている
画像処理装置。
【請求項３】
請求項１に記載の画像処理装置であって、
前記処理部は、
前記被記録媒体のサイズを検出する検出処理を実行可能に構成され、
前記画像形成処理においては、前記検出処理によって検出された前記被記録媒体のサイズに応じて、前記余白のサイズを設定可能に構成されている
画像処理装置。
【請求項４】
請求項１から請求項３までのいずれか一項に記載の画像処理装置であって、
前記処理部は、前記第一の画像のサイズ、及び前記余白サイズ設定処理によって設定された余白のサイズに基づいて、前記第一読み取り処理における読み取りサイズを算出する読み取りサイズ算出処理を実行可能に構成され、
前記第一読み取り処理においては、前記読み取りサイズ算出処理によって算出された読み取りサイズの範囲内を読み取り対象として画像を読み取ることにより、前記第一の画像に加えて前記余白となる画像である余白画像をも読み取り、
前記画像形成処理においては、前記第一の画像及び前記余白画像を形成し、前記余白画像と隣接する位置に前記第二の画像を形成することにより、前記第一の画像と前記第二の画像との間に前記余白が設けられる
画像処理装置。
【請求項５】
請求項４に記載の画像処理装置であって、
前記読み取り部は、一方向に配列された複数の受光素子を有し、前記受光素子が配列された方向を主走査方向、前記主走査方向に直交する方向を副走査方向として、前記支持部に沿って前記副走査方向へ移動しながら、前記受光素子によって前記第一の画像及び前記第二の画像それぞれを読み取り可能に構成され、
前記第一読み取り処理において、前記主走査方向については、あらかじめ定められた原点の位置と、当該原点の位置から前記第一の画像及び前記余白のサイズ分だけ離間した位置との間の範囲が読み取り対象とされ、前記副走査方向については、あらかじめ定められた原点の位置と、当該原点の位置から前記第一の画像のサイズ分だけ離間した位置との間の範囲が読み取り対象とされる
画像処理装置。
【請求項６】
請求項５に記載の画像処理装置であって、
前記第二読み取り処理において、前記主走査方向については、あらかじめ定められた原点の位置と、当該原点の位置から前記第二の画像のサイズ分だけ離間した位置との間の範囲が読み取り対象とされ、前記副走査方向については、あらかじめ定められた原点の位置と、当該原点の位置から前記第二の画像のサイズ分だけ離間した位置との間の範囲が読み取り対象とされる
画像処理装置。
【請求項７】
請求項１から請求項６までのいずれか一項に記載の画像処理装置であって、
前記処理部は、
前記余白のサイズに関する複数の選択肢があらかじめ用意され、前記複数の選択肢の中から利用者操作によって指定される一つの選択肢を選択する余白サイズ選択処理を実行可能に構成され、
前記余白サイズ設定処理においては、前記余白サイズ選択処理において選択された一つの選択肢に対応する余白のサイズが設定される
画像処理装置。
【請求項８】
請求項７に記載の画像処理装置であって、
前記余白サイズ選択処理において、前記複数の選択肢には、少なくとも第一の選択肢及び第二の選択肢が含まれ、
前記第一の選択肢及び前記第二の選択肢のいずれが選択された場合であっても、前記画像形成処理においては、前記画像形成領域がｎ個（ただしｎは２以上の整数。）の領域に分割され、それら分割後の領域であるｎ個の分割領域のうち、隣り合う位置にある二つの分割領域の一方に前記第一の画像が形成されて他方に前記第二の画像が形成され、それら前記第一の画像と前記第二の画像との間に、前記余白サイズ選択処理において選択された一つの選択肢に対応するサイズの前記余白が設けられ、
前記第二の選択肢が選択された場合には、前記第一の選択肢が選択された場合に比べ、前記第一の画像と前記第二の画像との間に設けられる前記余白のサイズが小さくされる
画像処理装置。
【発明の詳細な説明】
【技術分野】
【０００１】
本発明は、画像処理装置に関する。
【背景技術】
【０００２】
免許証の表面及び裏面それぞれに対応する画像を読み取って、それら二つの画像を一枚のシートに印刷する技術が提案されている（例えば、特許文献１参照。）。
【先行技術文献】
【特許文献】
【０００３】
【特許文献１】特開２００９−１００１０２号公報
【発明の概要】
【発明が解決しようとする課題】
【０００４】
しかし、上記特許文献１に記載の技術の場合、上述した二つの画像は、一枚のシート内において、あらかじめ決められた位置に配置されている。そのため、例えば、二つの画像をより近くに配置したい事情、あるいは、二つの画像をより遠くに配置したい事情があっても、そのようなレイアウトの変更はできなかった。
【０００５】
また、より狭い範囲に二つの画像を収める技術としては、いわゆる縮小コピーのように、画像の拡大率を１００％未満に設定して出力する手法も知られているが、このような手法では、二つの画像を原寸大で出力することはできなかった。
【０００６】
以上のような事情から、二つの画像を原寸大で出力可能で、それら二つの画像間に確保される余白のサイズを調節可能な画像処理装置を提供することが望ましい。
【課題を解決するための手段】
【０００７】
以下に説明する画像処理装置は、読み取り対象物を支持可能な支持部と、支持部によって支持された読み取り対象物から画像を読み取り可能な読み取り部と、読み取り部によって読み取られた画像を表す画像データに関するデータ処理を実行可能な処理部とを備え、処理部は、読み取り部によって第一の画像を読み取る第一読み取り処理と、読み取り部によって第二の画像を読み取る第二読み取り処理と、画像が形成される領域である画像形成領域内に、第一読み取り処理によって読み取られた第一の画像と、第二読み取り処理によって読み取られた第二の画像とを、原寸大で形成する画像形成処理と、第一の画像と第二の画像との間に設けられる余白のサイズを、複数通りのサイズのいずれかに設定する余白サイズ設定処理とを実行可能であり、画像形成処理では、余白サイズ設定処理により設定された余白のサイズに基づいて、当該サイズの余白を第一の画像と第二の画像との間に設ける。
【０００８】
この画像処理装置において、上述の画像形成領域は画像が形成される領域であり、例えば被記録媒体（例えば紙媒体。）に対して画像を形成可能な画像処理装置の場合であれば、被記録媒体の被記録面（例えば紙媒体の紙面。）が画像形成領域に該当する。あるいは、電子文書（コンピュータで作成された、表示又は印刷可能な文書。）や電子化文書（紙文書をイメージスキャナ等で読み取ることによって電子化した、表示又は印刷可能な文書。）を作成可能な画像処理装置の場合であれば、電子文書や電子化文書中に含まれる紙面相当の領域が画像形成領域に該当する。このような電子文書又は電子化文書は、例えばｐｄｆ（Portable Document Format）のような電子文書データ形式、あるいはＴＩＦＦ（Tagged Image File Format）やＪＰＥＧ（Joint Photographic Experts Group）のような画
像データ形式など、周知の各種データ形式で作成することができる。
【０００９】
このように構成された画像処理装置によれば、処理部が画像形成処理を実行することにより、画像形成領域内には、第一読み取り処理によって読み取られた第一の画像と、第二読み取り処理によって読み取られた第二の画像が、原寸大で形成される。
【００１０】
しかも、処理部が余白サイズ設定処理を実行することにより、第一の画像と第二の画像との間に設けられる余白のサイズが、複数通りのサイズのいずれかに設定される。画像形成処理では、余白サイズ設定処理により設定された余白のサイズに基づいて、当該サイズの余白が第一の画像と第二の画像との間に設けられる。
【００１１】
したがって、余白のサイズを変更不能な技術や、第一の画像、第二の画像、及び余白を含む全体のサイズが拡大・縮小される技術等とは異なり、画像形成領域内で余白を好適なサイズに調節しつつ、第一の画像及び第二の画像を原寸大で形成することができる。よって、例えば、第一の画像及び第二の画像のサイズを変更しなくても、余白のサイズを調節することによって、第一の画像、第二の画像、及び余白を含む全体を画像形成領域内に収めることも可能となる。また、例えば、使用目的等に合わせて、より好適な余白のサイズを設定し、第一の画像及び第二の画像を画像形成領域内において所望の位置に配置することができる。
【図面の簡単な説明】
【００１２】
【図１】図１（Ａ）は複合機の構成を示すブロック図である。図１（Ｂ）は支持部等を示す平面図である。
【図２】図２（Ａ）はＩＤカードの表面を例示する説明図である。図２（Ｂ）はＩＤカードの裏面を例示する説明図である。図２（Ｃ）はＩＤコピー機能によって印刷された印刷物（その１）を例示する説明図である。図２（Ｄ）はＩＤコピー機能によって印刷された印刷物（その２）を例示する説明図である。
【図３】図３（Ａ）はカードの表面を読み取る場合の読み取り範囲を示す説明図である。図３（Ｂ）はカードの裏面を読み取る場合の読み取り範囲を示す説明図である。
【図４】図４（Ａ）は二分割された画像形成領域に画像が配置される場合について、各画像のＸ方向の位置及び寸法を示した説明図である。図４（Ｂ）は二分割された画像形成領域に画像が配置される場合について、各画像のＹ方向の位置及び寸法を示した説明図である。
【図５】図５（Ａ）は三分割された画像形成領域において図中上から一番目の領域と図中上から二番目の領域に画像が配置される場合について、各画像のＹ方向の位置及び寸法を示した説明図である。図５（Ｂ）は三分割された画像形成領域において図中上から一番目の領域と図中上から三番目の領域に画像が配置される場合について、各画像のＹ方向の位置及び寸法を示した説明図である。
【図６】図６は四分割された画像形成領域において画像が配置され得る四箇所について、各箇所のＹ方向の位置及び寸法を示した説明図である。
【図７】図７は二分割された画像形成領域において画像間の余白量があらかじめ決められた値となる場合について、各画像のＹ方向の位置及び寸法を示した説明図である。
【図８】図８（Ａ）はＩＤコピー処理のフローチャートである。図８（Ｂ）は設定処理のフローチャートである。
【図９】図９は読み取り処理のフローチャートである。
【図１０】図１０は画像形成処理のフローチャートである。
【発明を実施するための形態】
【００１３】
次に、上述の画像処理装置について、例示的な実施形態を挙げて説明する。
［画像処理装置の構成］
複合機１（本明細書でいう画像処理装置の一例に相当。）は、図１（Ａ）に示すように、処理部１１、読み取り部１２、画像形成部１３、補助記憶部１４、操作部１５、表示部１６、及び通信部１７等を備えている。処理部１１は、周知のＣＰＵ、ＲＯＭ、及びＲＡＭ等を備え、ＣＰＵがＲＯＭやＲＡＭに記憶されたプログラムに従って各種処理を実行することにより、複合機１の各部を制御する。読み取り部１２は、読み取り対象物の画像を光学的に読み取って、読み取った画像を表す画像データを出力する。
【００１４】
画像形成部１３は、電子写真方式又はインクジェット方式で被記録媒体に対して画像を形成する。補助記憶部１４は、処理部１１が備えるＲＡＭよりも大容量の記憶装置（例えば、フラッシュメモリやハードディスク装置など。）によって構成されている。操作部１５は、タッチパネル等によって構成され、利用者が複合機１に対して各種指令を与える際に利用者によって操作される。
【００１５】
表示部１６は、液晶ディスプレイ等によって構成され、複合機１から利用者に対して提供される各種情報が表示される。また、操作部１５においてタッチパネルを採用している場合には、タッチパネルが表示部１６に重ねて配置され、タッチパネルの操作箇所を示すための画像（例えば、スイッチやボタンの画像。）などは表示部１６に表示される。通信部１７は、無線ＬＡＮに対応した通信インターフェース装置、及び有線ＬＡＮに対応した通信インターフェース装置によって構成されている。
【００１６】
また、複合機１は、図１（Ｂ）に示すように、フラットベッド（Flat Bed）部２０を備えている。フラットベッド部２０の上面には、プラテン２１（本明細書でいう支持部の一例に相当。）が設けられている。プラテン２１は、無色透明な板材（例えばガラス板、アクリル板など。）によって構成されている。このプラテン２１の上面は、読み取り対象物を支持する支持面として利用される。
【００１７】
読み取り部１２は、イメージセンサ２３、ステッピングモータ２５、ギヤ機構２７、歯付きベルト２９、及びキャリッジ３１などによって構成される。イメージセンサ２３は、一方向に配列された複数の受光素子を有する一次元イメージセンサであり、本実施形態の場合は、密着イメージセンサ（ＣＩＳ；Contact Image Sensor）が採用されている。ステッピングモータ２５、ギヤ機構２７、歯付きベルト２９、及びキャリッジ３１は、イメージセンサ２３を往復移動させる駆動機構を構成している。この駆動機構は、イメージセンサ２３における受光素子の配列方向を主走査方向、主走査方向に直交する方向を副走査方向として、イメージセンサ２３をプラテン２１に沿って副走査方向へ往復移動させる。
【００１８】
より詳しくは、ステッピングモータ２５は、ギヤ機構２７を介して歯付きベルト２９を駆動する。歯付きベルト２９は、副走査方向に延在する無端ベルトである。この歯付きベルト２９にはキャリッジ３１が連結されている。キャリッジ３１は、副走査方向へ延びる軸状又はレール状に形成されたガイド部３３によって支持されている。
【００１９】
歯付きベルト２９が順方向（図１（Ｂ）中における反時計回り方向。）へ循環駆動されると、キャリッジ３１はガイド部３３に沿って副走査方向へ往動（図１（Ｂ）中における左から右へ移動。）する。歯付きベルト２９が逆方向（図１（Ｂ）中における時計回り方向。）へ循環駆動されると、キャリッジ３１はガイド部３３に沿って副走査方向へ復動（図１（Ｂ）中における右から左へ移動。）する。イメージセンサ２３は、キャリッジ３１に搭載され、キャリッジ３１とともに副走査方向へ移動する。
【００２０】
プラテン２１の周囲には、トップカバー３５が設けられている。トップカバー３５には、原点位置を示すマーク３７が設けられている。プラテン２１上に長方形の原稿を載置する際には、プラテン２１上においてマーク３７が付された角に原稿の角を合わせることに
より、原稿の位置決めを行うことができる。なお、トップカバー３５には、読み取りサイズ（Ａ４，ＬＴＲ，Ｂ５ＪＩＳ等。）の目安を示すための目盛りなども刻設されている。また、本実施形態では、図１（Ｂ）におけるプラテン２１の左上の角を原点位置としたが、他の位置を原点位置、例えば、右下の角を原点位置としてもよい。
【００２１】
［ＩＤコピー機能の概要］
次に、複合機１が備えるＩＤコピー機能について説明する。
ＩＤコピー機能は、各種ＩＤカードが有する二つの面の画像をそれぞれ読み取り、それら二つの画像が単一の画像形成領域内に原寸大で並べられた画像を生成する。そして、その生成された画像を印刷出力ないしは印刷又は表示可能なファイルとして出力する（画像形成する）機能である。ＩＤコピー機能による処理対象として想定される各種ＩＤカードとしては、例えば、自動車運転免許証、健康保険証、パスポート、その他身分証明書として利用可能な各種カード類を例示することができる。ただし、これら以外の読み取り対象物であっても、ＩＤコピー機能による画像の読み取り、及び画像形成を実行することはできる。
【００２２】
また、ＩＤカードが有する二つの面としては、カードの表面と裏面を想定している。ただし、複数ページある身分証明書の場合、任意に二面を選択してＩＤコピー機能による処理対象とすることもできる。あるいは、二枚のカードそれぞれの表面を対象とすることもできる。
【００２３】
以下、図２（Ａ）及び図２（Ｂ）に例示するようなＩＤカード４１を想定して説明を続ける。ここで例示するＩＤカード４１としては、一方の面に顔写真が含まれているものを想定している。そこで、以下の説明では、便宜的に、顔写真がある方の面を表面４１Ａ（図１（Ａ）参照。）と称し、その裏側にある面を裏面４１Ｂ（図１（Ｂ）参照。）と称することにする。
【００２４】
ＩＤカード４１は、「ＩＳＯ／ＩＥＣ  ７８１０」で規定された「ＩＤ−１」に準拠したカードであり、そのカードサイズは８５．６０×５３．９８ｍｍと規定されている。本実施形態の場合、複合機１のＩＤコピー機能は、「ＩＤ−１」準拠のＩＤカードを読み取り対象としており、詳しくは後述するが、上記カードサイズを考慮して画像の読み取り範囲が設定される。
【００２５】
ただし、画像の読み取り範囲のサイズを「ＩＤ−１」準拠のカードサイズに対応するサイズとするか否かは任意であり、画像の読み取り範囲のサイズは、他のカードサイズに対応したサイズとされてもよい。例えば、上記「ＩＳＯ／ＩＥＣ  ７８１０」では「ＩＤ−１」以外に「ＩＤ−２（１０５ｍｍ×７４ｍｍ）」、「ＩＤ−３（１２５ｍｍ×８８ｍｍ）」などのサイズも規定されているので、これらのサイズを考慮して画像の読み取り範囲が設定されてもよい。あるいは、これらのサイズ以外のサイズに対応していてもよい。また、このように複数のカードサイズそれぞれの利用が想定される場合には、複数のカードサイズのいずれを利用したいのかについて、利用者が任意に選択できるように構成されていてもよい。
【００２６】
ＩＤコピー機能を利用して、ＩＤカード４１のコピー画像を印刷出力すると、図２（Ｃ）及び図２（Ｄ）に例示するように、被記録媒体５０（例えばカット紙。）の一面に、ＩＤカード４１の表面４１Ａの画像５１Ａと裏面４１Ｂの画像５１Ｂが、原寸大で印刷出力される。詳しくは後述するが、図２（Ｃ）に例示する印刷物と図２（Ｄ）に例示する印刷物とでは、二つの画像５１Ａ，５１Ｂの配置された位置（レイアウト）が相違しており、どちらのレイアウトを利用するかは、複合機１においてＩＤコピー機能を利用する際に利用者が任意に選択可能に構成されている。
【００２７】
図２（Ｃ）に例示する印刷物の場合、被記録媒体５０の一面は、一点鎖線で示す位置において二等分され、分割された二つの領域のうち、一方の領域の中央に画像５１Ａが形成され、他方の領域の中央に画像５１Ｂが形成されている。また、図２（Ｄ）に例示する印刷物の場合、被記録媒体５０の一面は、一点鎖線で示す位置において三等分され、分割された三つの領域のうち、上から一番目の領域の中央に画像５１Ａが形成され、上から二番目の領域の中央に画像５１Ｂが形成されている。
【００２８】
さらに、詳しくは後述するが、複合機１は、図２（Ｃ）及び図２（Ｄ）に例示したレイアウト以外のレイアウトで画像を形成することもできる。ただし、いずれのレイアウトを選択した場合でも、画像５１Ａ及び画像５１Ｂは原寸大で形成（印刷）される。換言すれば、画像５１Ａと画像５１Ｂとの間にある余白のサイズや、画像５１Ａ及び画像５１Ｂの周囲にある余白のサイズは、画像５１Ａ及び画像５１Ｂの位置及びサイズと被記録媒体５０のサイズとに応じて変動することになる。
【００２９】
ＩＤコピー機能を利用する際には、先にＩＤカード４１の表面４１Ａの画像を読み取り、続いてＩＤカード４１の裏面４１Ｂの画像を読み取る。ＩＤカード４１の表面４１Ａの画像を読み取る際には、図３（Ａ）に示すように、プラテン２１上においてマーク３７が付された角に、ＩＤカード４１の角を合わせることにより、ＩＤカード４１の位置決めを行う。このときプラテン２１には、ＩＤカード４１の表面４１Ａを接触させる（すなわち、利用者から見えるＩＤカード４１の向きは裏面４１Ｂが見える向きにされる。）。また、ＩＤカード４１の上下方向が正しい向きとなるように、マーク３７が位置する角にＩＤカード４１の角を合わせるよう、表示部１６により利用者に報知する等のガイダンス機能を備えていてもよい。この状態において、複合機１は、事前の設定に基づいて、主走査方向については範囲ＲＭ１、副走査方向については範囲ＲＳ１を読み取り範囲と認識し、読み取り処理を実行する。なお、範囲ＲＭ１、及び範囲ＲＳ１は、図３（Ａ）において、破線で示される領域の長さにそれぞれ対応している。
【００３０】
これらの範囲ＲＭ１及び範囲ＲＳ１の詳細については後述するが、範囲ＲＭ１のサイズは、ＩＤカード４１のカード長に対し、画像形成時に画像間の余白となる領域の余白長を加算したサイズとされる。また、範囲ＲＳ１は、ＩＤカード４１のカード幅に対し、若干の余裕を持たせるための寸法を加算したサイズとされる。若干の余裕を持たせるための寸法は任意であり、このような余裕がなくてもよければ「０ｍｍ」としてもよいし、カードサイズよりも数ｍｍ余分に読み取りたい場合は「数ｍｍ（例えば５ｍｍ）」とすればよい。また、このような寸法を利用者が任意に設定できるように構成されていてもよい。
【００３１】
続いて、ＩＤカード４１の裏面４１Ｂの画像を読み取る際にも、図３（Ｂ）に示すように、プラテン２１上においてマーク３７が付された角に、ＩＤカード４１の角を合わせることにより、ＩＤカード４１の位置決めを行う。このときプラテン２１には、ＩＤカード４１の裏面４１Ｂを接触させる（すなわち、利用者から見えるＩＤカード４１の向きは表面４１Ａが見える向きにされる。）。この状態において、複合機１は、事前の設定に基づいて、主走査方向については範囲ＲＭ２、副走査方向については範囲ＲＳ１を読み取り範囲と認識し、読み取り処理を実行する。
【００３２】
これらの範囲ＲＭ２及び範囲ＲＳ１の詳細については後述するが、範囲ＲＭ２のサイズは、ＩＤカード４１のカード長に対し、若干の余裕を持たせるための寸法を加算したサイズとされる。また、範囲ＲＳ１は、ＩＤカード４１のカード幅に対し、若干の余裕を持たせるための寸法を加算したサイズとされる。若干の余裕を持たせるための寸法は上述の通り、「０ｍｍ」としてもよいし「数ｍｍ」としてもよい。また、このような寸法を利用者が任意に設定できるように構成されていてもよい。
【００３３】
被記録媒体５０に二つの画像５１Ａ，５１Ｂが形成される際には、上述のＲＭ１×ＲＳ１の範囲を読み取ることによって得られた画像（以下、画像Ａとも称する。）と、上述のＲＭ２×ＲＳ１の範囲を読み取ることによって得られた画像（以下、画像Ｂとも称する。）とに基づき、これら画像Ａ及び画像Ｂを隙間無く並べることによって構成される画像（以下、画像Ｃとも称する。）が生成される。処理部１１が備えるＲＡＭ内には、上述の画像Ａ、画像Ｂ、及び画像Ｃそれぞれを格納可能なイメージバッファが確保され、このイメージバッファ上で画像Ｃが生成される。そして、この画像Ｃが、例えば、被記録媒体５０に対して印刷出力される。
【００３４】
このとき、被記録媒体５０において画像５１Ａと画像５１Ｂとの間に確保される余白は、上述の範囲ＲＭ１に応じた余白長となる。また、画像５１Ａ及び画像５１Ｂの周囲に確保される余白は、画像５１Ａ及び画像５１Ｂの位置及びサイズと被記録媒体５０のサイズとに応じて決まる。以下、これらの事項を図４（Ａ）及び図４（Ｂ）に基づいて説明する。
【００３５】
まず、図４（Ａ）及び図４（Ｂ）に示す例は、被記録媒体５０の一面が二等分され、分割された二つの領域のうち、一方の領域の中央に画像５１Ａが形成され、他方の領域の中央に画像５１Ｂが形成される例である。このような画像を形成するに当たっては、まず、画像の読み取りを行う段階で、範囲ＲＭ１，ＲＭ２，ＲＳ１が決定される。これら範囲ＲＭ１，ＲＭ２，ＲＳ１は、カード幅ＣＸ１及びカード長ＣＹ１に基づいて算出される。
【００３６】
具体的には、読み取り領域の範囲ＲＳ１は、カード幅ＣＸ１に対して若干の余裕（利用者が任意に指定可能な余裕量；ここでは仮に余裕量５ｍｍとする。）を持たせて、範囲ＲＳ１＝ＣＸ１＋余裕量５ｍｍとされる。また、読み取り領域の範囲ＲＭ２は、カード長ＣＹ１に対して若干の余裕（利用者が任意に指定可能な余裕量；ここでは仮に余裕量５ｍｍとする。）を持たせて、範囲ＲＭ２＝ＣＹ１＋余裕量５ｍｍとされる。
【００３７】
一方、範囲ＲＭ１は、画像５１Ａと画像５１Ｂとの間に設けられる余白長に応じた値とされ、この余白長は、用紙長ＰＹ１及びカード長ＣＹ１に応じて決まる。具体的には、まず、用紙長ＰＹ１は利用者設定又は実際に利用する用紙サイズの検出結果に応じて決まる。例えば、利用者が出力用紙として「Ａ４」を選択している場合、あるいは、複合機１にセットされている出力用紙が「Ａ４」であると検出された場合、用紙長ＰＹ１は「２９７ｍｍ」と決まる。また、カード長ＣＹ１は、本実施形態の場合は「ＩＤ−１」準拠なので「５３．９８ｍｍ」と決まる。
【００３８】
これらの値に基づき、二等分された各領域長ＡＹ１はＡＹ１＝ＰＹ１／２であり、二等分された各領域内において、画像５１Ａ，５１Ｂそれぞれの上下に確保される余白長ＳＹ１は、ＳＹ１＝（ＡＹ１−ＣＹ１）／２＝（ＰＹ１／２−ＣＹ１）／２となる。画像５１Ａと画像５１Ｂとの間には、図４（Ｂ）に示す通り、上述のような余白長ＳＹ１の領域が二つ分ある。よって、これら二つ分の余白長ＳＹ１×２とカード長ＣＹ１とに基づき、範囲ＲＭ１＝ＣＹ１＋ＳＹ１×２＝ＣＹ１＋（ＰＹ１／２−ＣＹ１）／２×２が決まる。
【００３９】
以上のようにして、範囲ＲＳ１，ＲＭ１，ＲＭ２が決まれば、原点位置（プラテン２１の角。）を基準とした読み取り範囲が確定し、画像５１Ａと画像間の余白とを含む画像Ａと、画像５１Ｂを含む画像Ｂとを、それぞれ読み取ることができる。
【００４０】
一方、以上のような画像Ａ，Ｂの読み取りが行われた後、被記録媒体５０に対して画像５１Ａ，５１Ｂを形成する段階では、横方向及び縦方向の印刷位置が決定される。まず、横方向の印刷位置については、図４（Ａ）に示すように、用紙幅ＰＸ１及びカード幅ＣＸ
１に基づいて、左右余白幅ＳＸ１＝（ＰＸ１−ＣＸ１）／２が算出される。
【００４１】
これらのうち、用紙幅ＰＸ１は、利用者設定又は実際に利用する用紙サイズの検出結果に応じて決まる。例えば、利用者が出力用紙として「Ａ４」を選択している場合、あるいは、複合機１にセットされている出力用紙が「Ａ４」であると検出された場合、用紙幅ＰＸ１は「２１０ｍｍ」と決まる。また、カード幅ＣＸ１は、本実施形態の場合は「ＩＤ−１」準拠なので「８５．６０ｍｍ」と決まる。よって、左右余白幅ＳＸ１は、ＳＸ１＝（２１０−８５．６０）／２ｍｍ＝６２．２ｍｍと決まる。なお、読み取り領域の範囲ＲＳ１は、カード幅ＣＸ１に対して若干の余裕（ここでは仮に５ｍｍの余裕分とする。）が持たせてあるので、この場合、左の余白幅はＳＸ１−余裕分５ｍｍ、右の余白幅はＳＸ１に調節される。
【００４２】
また、縦方向の印刷位置については、図４（Ｂ）に示すように、まず、用紙長ＰＹ１及びカード長ＣＹ１に基づいて、既に説明したような余白長ＳＹ１＝（ＰＹ１／２−ＣＹ１）／２が決まる。これらのうち、用紙長ＰＹ１は、利用者設定又は実際に利用する用紙サイズの検出結果に応じて決まる。例えば、利用者が出力用紙として「Ａ４」を選択している場合、あるいは、複合機１にセットされている出力用紙が「Ａ４」であると検出された場合、用紙長ＰＹ１は「２９７ｍｍ」と決まる。また、カード長ＣＹ１は、本実施形態の場合は「ＩＤ−１」準拠なので「５３．９８ｍｍ」と決まる。余白長ＳＹ１は、ＳＹ１＝（２９７−５３．９８）／２ｍｍ＝１２１．５１ｍｍと決まる。なお、読み取り領域の範囲ＲＭ２は、カード長ＣＹ１に対して若干の余裕（ここでは仮に５ｍｍの余裕分とする。）が持たせてあるので、この場合、画像５１Ａの上の余白長はＳＹ１、画像５１Ｂの下の余白長はＳＹ１−余裕分５ｍｍに調節される。
【００４３】
以上説明した通り、複合機１においてＩＤコピー機能を利用する際には、上述のような手法で読み取りの範囲ＲＭ１，ＲＭ２，ＲＳ１や、被記録媒体５０における画像５１Ａ，５１Ｂの形成位置が設定されることになる。
【００４４】
ところで、図４（Ａ）及び図４（Ｂ）に示した例は、画像形成領域を二等分して、分割された各領域の中央に画像５１Ａ，５１Ｂを形成する例であったが、このようなレイアウト以外のレイアウトで被記録媒体５０に画像を形成することもできる。どのようなレイアウトを利用するかは、既に説明した通り、利用者が任意に選択できる。
【００４５】
例えば、図５（Ａ）及び図５（Ｂ）に示す例のように、画像形成領域を三等分して、分割された各領域の中央に画像５１Ａ，５１Ｂを形成することもできる。図５（Ａ）は三分割された画像形成領域において図中上から一番目の領域と図中上から二番目の領域に画像が配置される例である。図５（Ｂ）は三分割された画像形成領域において図中上から一番目の領域と図中上から三番目の領域に画像が配置される例である。図示は省略するが、三分割された画像形成領域において図中上から二番目の領域と図中上から三番目の領域に画像を配置することもできる。これらいずれの場合であっても、画像形成領域を二等分した場合と同様の手法で、用紙長ＰＹ１を三等分した寸法ＡＹ２＝ＰＹ１／３や、余白長ＳＹ２＝（ＡＹ２−ＣＹ１）／２等を求め、読み取りの範囲ＲＭ４＝ＣＹ１＋ＳＹ２＋ＳＹ２や、範囲ＲＭ５＝ＣＹ１＋ＳＹ２＋ＡＹ２＋ＳＹ２、あるいは被記録媒体５０における画像５１Ａ，５１Ｂの形成位置などを算出、決定することができる。
【００４６】
また、例えば、図６に示す例のように、画像形成領域を四等分して、分割された各領域の中央となる箇所５６１，５６２，５６３，５６４に画像を形成することもできる。この場合でも、画像形成領域を二等分した場合と同様の手法で、用紙長ＰＹ１を四等分した寸法ＡＹ３＝ＰＹ１／４や、余白長ＳＹ３＝（ＡＹ３−ＣＹ１）／２等を求め、これらを組み合わせて、読み取りの範囲や被記録媒体５０における画像の形成位置を算出、決定する
ことができる。
【００４７】
以上の例は、被記録媒体５０としてＡ４用紙を想定した例であり、かつＩＤカード４１のサイズが「ＩＤ−１」準拠を想定した例である。そのため、ＩＤカード４１を原寸大でコピーし、かつ被記録媒体５０を一方向についてｎ等分（ただしｎは２以上の整数。）するには、四等分が上限となる。ただし、被記録媒体５０としてはＡ４用紙よりもサイズの大きい用紙を選択することができるので、その場合は五等分以上の分割をしても問題ない。また、ＩＤカード４１のサイズが「ＩＤ−１」準拠より小さい設定であれば、被記録媒体５０としてＡ４用紙を選択した場合でも、五等分以上の分割が可能である。
【００４８】
このように画像形成領域をｎ等分（ただしｎは２以上の整数。）して、分割された領域の中央に画像５１Ａ，５１Ｂを形成すると、被記録媒体５０を二つ折り、三つ折り、四つ折りするような場合に、画像５１Ａ，５１Ｂと折り目が重ならず、便利である。例えば、被記録媒体５０を三つ折りにして封筒に入れるような場合には、画像形成領域を三等分して、分割された領域の中央に画像５１Ａ，５１Ｂを形成することにより、画像５１Ａ，５１Ｂが折れ曲がらないようにすることができる。複合機１においては、ＩＤコピー機能を利用する際の設定項目として、折り目数を選択又は入力することができ、後述する処理では、折り目数ｎに応じて画像形成領域をｎ等分する。
【００４９】
さらに、上述の各例は、いずれも画像形成領域をｎ等分する例であったが、複合機１では、画像５１Ａ，５１Ｂ間に形成される余白のサイズを、用紙サイズに対する相対値として算出するのではなく、絶対値で余白のサイズを設定することもできる。このような絶対値は、あらかじめ用意されているいくつかの絶対値のいずれかを選択できるように構成されていてもよいし、利用者が任意に絶対値を入力できるように構成されていてもよい。
【００５０】
例えば、図７に示す例は、画像５１Ａ，５１Ｂ間に形成される余白のサイズＳＹ４が、被記録媒体５０の用紙サイズとは無関係に特定の値にされる例である。この例では、画像５１Ａ，５１Ｂ間に跨がる位置に、スタンプによる印影５８を付すことができるようにするため、余白のサイズＳＹ４が印影５８の直径よりも狭い寸法とされている。このように余白のサイズＳＹ４が特定の値に決まっている場合でも、読み取りの範囲ＲＭ６＝ＣＹ１＋ＳＹ４や、上下の余白長ＳＹ５＝（ＰＹ１−（ＣＹ１＋ＳＹ１＋ＣＹ１））／２を算出、決定することができる。
【００５１】
［ＩＤコピー処理］
次に、上述のようなＩＤコピー機能を実現するために複合機１において実行されるＩＤコピー処理について、図８（Ａ），図８（Ｂ），図９，及び図１０に示すフローチャートに基づいて説明する。図８（Ａ）に示すＩＤコピー処理は、複合機１の操作部１５においてＩＤコピー機能の実行開始を指示する入力操作がなされた場合に、複合機１の処理部１１（厳密には処理部１１が備えるＣＰＵ。以下、単に処理部１１という。）によって実行される。
【００５２】
ＩＤコピー処理を開始すると、処理部１１は、図８（Ａ）に示すように、まず設定処理を実行する（Ｓ１）。設定処理の詳細は、図８（Ｂ）に示すような処理となる。すなわち、設定処理を開始すると、処理部１１は、利用者入力の内容を判定し（Ｓ１１）、その判定結果に応じた処理を実行する。
【００５３】
具体的には、Ｓ１１において、利用者入力が用紙サイズを設定する入力であった場合（Ｓ１１：用紙サイズ）、処理部１１は、以降の処理において使用することとなる用紙サイズを利用者入力による指示通りに設定し（Ｓ１２）、Ｓ１１へと戻る。Ｓ１１では、用紙サイズを選択する旨の利用者入力を行うと、表示部１６に用紙サイズに関する複数の選択
肢（例えば、Ａ３，Ｂ４，Ａ４，ＬＴＲ，Ｂ５など。）を表示する。そして、それらの選択肢のいずれかを操作部１５での利用者入力によって選択するとＳ１２へと進む。Ｓ１２では、Ｓ１１においていずれかの用紙サイズが選択されているので、そのような用紙サイズが選択された旨の情報をメモリに記憶する。
【００５４】
また、Ｓ１１において、利用者入力が余白量を設定する入力であった場合（Ｓ１１：余白量）、処理部１１は、以降の処理において使用することとなる余白量を利用者入力による指示通りに設定し（Ｓ１３）、Ｓ１１へと戻る。Ｓ１１では、余白量を選択する旨の利用者入力を行うと、表示部１６に用紙サイズに関する複数の選択肢を表示する。本実施形態の場合、余白量としては「自動」、「余白量１」、「余白量２」の３種のモードを選択することができる。
【００５５】
「自動」は、図４（Ａ），図４（Ｂ），図５（Ａ），図５（Ｂ），及び図６に例示したように、折り目数ｎの設定に応じて画像形成領域をｎ等分するモードである。一方、「余白量１」、「余白量２」は、図７に例示したように、画像５１Ａと画像５１Ｂとの間の余白サイズを、あらかじめ定められた所定のサイズ、もしくは、利用者が任意に指定するサイズにするモードである。「余白量１」と「余白量２」とでは、あらかじめ異なる余白サイズが設定されているか、利用者が任意に指定する２通りの余白サイズをそれぞれ「余白量１」と「余白量２」として記憶可能に構成されている。
【００５６】
上記のような選択肢のいずれかを操作部１５での利用者入力によって選択するとＳ１３へと進む。Ｓ１３では、Ｓ１１においていずれかの余白量が選択されているので、そのような余白量が選択された旨の情報をメモリに記憶する。
【００５７】
また、Ｓ１１において、利用者入力が折り目数を設定する入力であった場合（Ｓ１１：折り目数）、処理部１１は、以降の処理において使用することとなる折り目数を利用者入力による指示通りに設定し（Ｓ１４）、Ｓ１１へと戻る。Ｓ１１では、折り目数を選択する旨の利用者入力を行うと、表示部１６に折り目数に関する複数の選択肢を表示する。本実施形態の場合、折り目数「２」、「３」、「４」を選択することができる。ただし、既に説明した通り、用紙サイズと読み取り対象物のサイズとの関係によっては折り目数として「５以上」を選択することも可能なので、用紙サイズと読み取り対象物のサイズの設定に連動して、折り目数の選択肢の上限値が動的に変更されるように構成してあってもよい。
【００５８】
また、折り目数「３」、「４」（もしくは５以上。）を選択した場合は、二つの画像をｎ分割された領域の何番目に配置するのかについても、その選択肢を表示部１６に表示する。以上のような項目それぞれにおいて選択肢のいずれかを操作部１５での利用者入力によって選択するとＳ１４へと進む。Ｓ１４では、Ｓ１１においていずれかの折り目数（及び画像の配置位置。）が選択されているので、そのような折り目数（及び画像の配置位置。）が選択された旨の情報をメモリに記憶する。
【００５９】
なお、折り目数の設定は、余白量の設定が「自動」の場合に有効となる。そのため、余白量の設定が「自動」以外になっている場合は、折り目数に関する設定項目をグレーアウト（淡色表示に変更）し、折り目数に関する入力操作を受け付けないようにしてもよい。ただし、折り目数に関する設定項目をグレーアウトした場合でも、更に追加操作によって余白量の設定が「自動」にされることもあり得る。よって、グレーアウト直前の設定内容はそのまま保持し、追加操作によって余白量の設定が「自動」にされたときの設定内容は、保持していた設定内容を追加操作時点での初期値とすればよい。
【００６０】
Ｓ１１において、利用者入力がコピー開始を指示する入力であった場合は（Ｓ１１：コ
ピー開始）、図８（Ｂ）に示す設定処理を終了して図８（Ａ）のＳ２へと進み、処理部１１は、読み取り処理を実行する（Ｓ２）。読み取り処理の詳細は、図９に示すような処理となる。すなわち、読み取り処理を開始すると、処理部１１は、表示部１６にメッセージ等を表示することにより、ＩＤカード４１の表面４１Ａをセットするよう案内する（Ｓ２１）。ここで、利用者が案内に従ってＩＤカード４１の表面４１Ａをプラテン２１にセットし、セットが完了した旨の利用者入力がなされたら（例えば操作部１５でＯＫボタンが押されたら）、Ｓ２２へと進む。
【００６１】
続いて、処理部１１は、余白量の設定が「自動」か「余白量１」か「余白量２」かを判断する（Ｓ２２）。Ｓ２２において、余白量の設定が「自動」である場合（Ｓ２２：自動）、処理部１１は、設定された用紙長及び折り目数に応じて主走査方向の読み取り領域長を算出する（Ｓ２３）。このＳ２３では、図４（Ｂ）に示した範囲ＲＭ１、図５（Ａ）に示した範囲ＲＭ４、あるいは図５（Ｂ）に示した範囲ＲＭ５等のように、画像間の余白となる領域の余白長が、画像形成領域のサイズ、ＩＤカード４１のサイズ、及び折り目数に基づいて算出され、その算出値をＩＤカード４１のカード長に加算したサイズが算出される。
【００６２】
また、Ｓ２２において、余白量の設定が「余白量１」である場合（Ｓ２２：余白量１）、処理部１１は、設定された用紙長及び余白量１に応じて主走査方向の読み取り領域長を算出する（Ｓ２４）。このＳ２４では、図７に示した範囲ＲＭ６等のように、画像間の余白となる領域の余白長が、あらかじめ設定されたサイズ（又は利用者が任意に指定するサイズ）とされ、そのサイズをＩＤカード４１のカード長に加算したサイズが算出される。
【００６３】
また、Ｓ２２において、余白量の設定が「余白量２」である場合（Ｓ２２：余白量２）、処理部１１は、設定された用紙長及び余白量２に応じて主走査方向の読み取り領域長を算出する（Ｓ２５）。このＳ２５では、Ｓ２４と同様の手法で読み取り領域長を算出する。ただし、余白量２は、余白量１とは異なるサイズが、あらかじめ設定されるか利用者によって任意に指定され得る。
【００６４】
以上のようなＳ２３，Ｓ２４，又はＳ２５のいずれかを終えたら、続いて、処理部１１は、算出結果に基づき、主走査方向は読み取り領域長、副走査方向はカード長＋α（αは上述した「若干の余裕を持たせるための寸法」。）となる範囲の画像を読み取り、表面＋余白の画像Ａ（上述のＲＭ１×ＲＳ１の範囲を読み取ることによって得られる画像。）を生成する（Ｓ２６）。
【００６５】
続いて、処理部１１は、表示部１６にメッセージ等を表示することにより、ＩＤカードの裏面をセットするよう案内する（Ｓ２７）。ここで、利用者が案内に従ってＩＤカード４１の裏面４１Ｂをプラテン２１にセットし、セットが完了した旨の利用者入力がなされたら（例えば操作部１５でＯＫボタンが押されたら）、Ｓ２８へと進む。
【００６６】
次に、処理部１１は、主走査方向はカード幅＋β（βは上述した「若干の余裕を持たせるための寸法」。）、副走査方向はカード長＋α（αは上述した「若干の余裕を持たせるための寸法」。）となる範囲の画像を読み取り、裏面の画像Ｂを生成する（Ｓ２８）。
【００６７】
Ｓ２８を終えたら、図９に示す読み取り処理を終了して図８（Ａ）のＳ３へと進み、処理部１１は、画像形成処理を実行する（Ｓ３）。画像形成処理の詳細は、図１０に示すような処理となる。すなわち、画像形成処理を開始すると、処理部１１は、給紙を開始して、被記録媒体５０のサイズを検知する（Ｓ３１）。Ｓ３１で検知する被記録媒体５０のサイズは、被記録媒体５０の搬送方向のサイズである。Ｓ３１では、被記録媒体５０のサイズを実際に検知してもよいし、被記録媒体５０のサイズを推定してもよい。
【００６８】
被記録媒体５０のサイズを実際に検知する場合は、例えば、搬送経路に沿って搬送される被記録媒体５０の搬送方向先端及び末端をセンサで検知し、その検知タイミングと搬送量とに基づいて搬送方向先端と末端との間の距離を算出する。被記録媒体５０のサイズを推定する場合は、まずは、被記録媒体５０の幅方向（搬送方向に直交する方向。）の寸法をセンサで検知するか、被記録媒体５０の搬送方向を規制するサイドガイド（図示略。）の位置に基づいて被記録媒体５０の幅方向の寸法を推定する。そして、被記録媒体５０の幅方向の寸法に基づいて被記録媒体５０の搬送方向の寸法を推定する。例えば、被記録媒体５０の幅方向の寸法がＡ４相当（２１０ｍｍ）である場合、その幅方向寸法に基づいて被記録媒体５０の搬送方向の寸法もＡ４相当（２９７ｍｍ）と推定する。
【００６９】
Ｓ３１を終えたら、処理部１１は、Ｓ３１において検知（又は推定）した被記録媒体５０のサイズが、Ｓ１２で選択された用紙サイズの設定と一致するか否かを判断する（Ｓ３２）。また、Ｓ３２において上記二つのサイズが一致しないと判断された場合（Ｓ３２：ＮＯ）、処理部１１は、Ｓ１３で選択された余白量の設定が「自動」、「余白量１」、「余白量２」のいずれであるのかを判断する（Ｓ３３）。
【００７０】
これらＳ３２又はＳ３３の判断において、上記二つのサイズが一致する場合（Ｓ３２：ＹＥＳ）、あるいはＳ１３で選択された余白量の設定が「余白量１」又は「余白量２」であった場合（Ｓ３３：余白量１，余白量２）、処理部１１は、上述の画像Ａと画像Ｂを結合し、印刷用の画像Ｃを生成する（Ｓ３４）。
【００７１】
一方、Ｓ１３で選択された余白量の設定が「自動」であった場合（Ｓ３３：自動）、処理部１１は、Ｓ３１において検知（又は推定）した被記録媒体５０のサイズと、Ｓ１２において設定された被記録媒体５０のサイズに応じて、画像間の余白部分のサイズを再設定し、再設定された画像Ａと画像Ｂを結合し、印刷用の画像Ｃを生成する（Ｓ３５）。
【００７２】
画像間の余白部分は、画像Ａに含まれている。この画像Ａに含まれる余白のサイズは、Ｓ１２において設定された被記録媒体５０のサイズに適したサイズとなっている。しかし、Ｓ３２において上記二つのサイズが一致しないと判断された場合（Ｓ３２：ＮＯ）、画像Ａに含まれる余白のサイズは、Ｓ３１において検知（又は推定）した被記録媒体５０のサイズには適していないことになる。そこで、Ｓ３５では、画像間の余白のサイズが、Ｓ３１において検知（又は推定）した被記録媒体５０のサイズに適したサイズとなるように、画像Ａに含まれる余白のサイズが増減調整される。
【００７３】
こうしてＳ３４又はＳ３５のいずれかを終えたら、続いて、処理部１１は、画像Ｃを被記録媒体に印刷する（Ｓ３６）。Ｓ３６を終えたら、図１０に示す画像形成処理を終了して図８（Ａ）に示すＩＤコピー処理を終了する。
【００７４】
［効果］
このように構成された複合機１によれば、処理部１１が図１０に示す画像形成処理を実行することにより、被記録媒体５０の一面（画像形成領域内）には、Ｓ２６（本明細書でいう第一読み取り処理の一例に相当。）によって読み取られた第一の画像５１Ａと、Ｓ２８（本明細書でいう第二読み取り処理の一例に相当。）によって読み取られた第二の画像５１Ｂが、原寸大で形成される。
【００７５】
しかも、処理部１１がＳ１３（本明細書でいう余白サイズ設定処理の一例に相当。）を実行することにより、第一の画像５１Ａと第二の画像５１Ｂとの間に設けられる余白のサイズが、複数通りのサイズのいずれかに設定される。その後、Ｓ２２〜Ｓ２５が実行されることにより、図１０に示す画像形成処理では、Ｓ１３により設定された余白のサイズに
基づいて、当該サイズの余白が第一の画像５１Ａと第二の画像５１Ｂとの間に設けられる。
【００７６】
したがって、余白のサイズを変更不能な技術や、第一の画像５１Ａ、第二の画像５１Ｂ、及び余白を含む全体のサイズが拡大・縮小される技術等とは異なり、画像形成領域内で余白を好適なサイズに調節しつつ、第一の画像５１Ａ及び第二の画像５１Ｂを原寸大で形成することができる。よって、例えば、第一の画像５１Ａ及び第二の画像５１Ｂのサイズを変更しなくても、余白のサイズを調節することによって、第一の画像５１Ａ、第二の画像５１Ｂ、及び余白を含む全体を画像形成領域内に収めることも可能となる。また、例えば、使用目的等に合わせて、より好適な余白のサイズを設定し、第一の画像５１Ａ及び第二の画像５１Ｂを画像形成領域内において所望の位置に配置することができる。
【００７７】
特に、本実施形態の複合機１の場合、処理部１１は、Ｓ２３〜Ｓ２５（本明細書でいう読み取りサイズ算出処理の一例に相当。）により、第一の画像５１Ａのサイズ、及びＳ１３によって設定された余白のサイズに基づいて、Ｓ２６における読み取りサイズを算出する。そして、Ｓ２６においては、Ｓ２３〜Ｓ２５によって算出された読み取りサイズの範囲内を読み取り対象として画像を読み取ることにより、第一の画像５１Ａに加えて余白となる画像である余白画像をも読み取り、図１０に示す画像形成処理においては、第一の画像５１Ａ及び余白画像を形成し、余白画像と隣接する位置に第二の画像５１Ｂを形成することにより、第一の画像５１Ａと第二の画像５１Ｂとの間に余白が設けられる。したがって、Ｓ２６を実行するだけで、第一の画像５１Ａ及び余白画像を一括で得ることができるので、第一の画像５１Ａを読み取る処理とは別に、余白画像を作成する処理を実行しなくても済む。
【００７８】
また、本実施形態の複合機１の場合、Ｓ２６において、主走査方向については、あらかじめ定められた原点の位置と、当該原点の位置から第一の画像５１Ａ及び余白のサイズ分だけ離間した位置との間の範囲が読み取り対象とされ、副走査方向については、あらかじめ定められた原点の位置と、当該原点の位置から第一の画像５１Ａのサイズ分だけ離間した位置との間の範囲が読み取り対象とされる。したがって、画像形成には不要な領域を冗長に読み取るように構成されている場合に比べ、読み取り処理で必要なメモリを削減することができる。
【００７９】
また、本実施形態の複合機１の場合、Ｓ２８において、主走査方向については、あらかじめ定められた原点の位置と、当該原点の位置から第二の画像５１Ｂのサイズ分だけ離間した位置との間の範囲が読み取り対象とされ、副走査方向については、あらかじめ定められた原点の位置と、当該原点の位置から第二の画像５１Ｂのサイズ分だけ離間した位置との間の範囲が読み取り対象とされる。
【００８０】
したがって、画像形成には不要な領域を冗長に読み取るように構成されている場合に比べ、読み取り処理で必要なメモリを削減することができる。
また、本実施形態の複合機１の場合、Ｓ１３（本明細書でいう余白サイズ選択処理の一例に相当。）では、余白のサイズに関する複数の選択肢があらかじめ用意され、複数の選択肢の中から利用者操作によって指定される一つの選択肢を選択することができる。したがって、第一の画像５１Ａと第二の画像５１Ｂとの間に設けられる余白のサイズを、あらかじめ用意された選択肢の中から選ぶだけで容易に設定することができる。
【００８１】
また、本実施形態の複合機１の場合、Ｓ１３では、選択肢として「自動（本明細書でいう第一の選択肢の一例に相当。）」及び「余白量１（本明細書でいう第二の選択肢の一例に相当。）」が含まれる。これらは、いずれが選択された場合であっても、画像形成領域が例えば２個の領域に分割され、それら分割後の領域である２個の分割領域のうち、隣り
合う位置にある二つの分割領域の一方に第一の画像５１Ａが形成されて他方に第二の画像５１Ｂが形成される。第一の画像５１Ａと第二の画像５１Ｂとの間には、「自動」又は「余白量１」に対応するサイズの余白が設けられ、「余白量１」が選択された場合（図７参照。）には、「自動」が選択された場合（図４（Ｂ）参照。）に比べ、第一の画像５１Ａと第二の画像５１Ｂとの間に設けられる余白のサイズが小さくされる。したがって、例えば、第一の画像５１Ａと第二の画像５１Ｂとの間に跨がるように印鑑（スタンプ）を押す必要がある場合等に便利である。
【００８２】
また、本実施形態の複合機１の場合、Ｓ１２（本明細書でいう媒体サイズ選択処理の一例に相当。）では、被記録媒体５０のサイズに関する複数の選択肢があらかじめ用意され、複数の選択肢の中から利用者操作によって指定される一つの選択肢を選択することができる。そして、画像を形成する際には、Ｓ１２において選択された被記録媒体５０のサイズに応じて、余白のサイズを最適にすることができる。
【００８３】
また、本実施形態の複合機１の場合、Ｓ３１（本明細書でいう媒体サイズ検出処理の一例に相当。）によって被記録媒体５０のサイズを検出することができ、Ｓ３５により、検出された被記録媒体５０のサイズに応じて、余白のサイズを最適にすることができる。
【００８４】
［補足］
以上、画像処理装置について、例示的な実施形態を挙げて説明したが、上述の実施形態は本発明の一態様として例示されるものに過ぎない。すなわち、本発明は、上述の例示的な実施形態に限定されるものではなく、本発明の技術的思想を逸脱しない範囲内において、様々な形態で実施することができる。
【００８５】
例えば、上記実施形態では、図８（Ａ）に示すＩＤコピー処理について、複合機１の操作部１５においてＩＤコピー機能の実行開始を指示する入力操作がなされた場合に実行される旨を説明したが、他のイベントを契機にして実行されてもよい。例えば、複合機１に接続された他の機器（例えばＰＣ（Personal Computer）。）からＩＤコピー機能の実行開始を指示するコマンドが送信され、そのコマンドを複合機１の通信部１７において受信した場合に、ＩＤコピー処理が実行されてもよい。
【００８６】
また、上記実施形態では、ＩＤコピー機能による出力画像が、被記録媒体５０に対して印刷出力される例を示したが、ＩＤコピー機能による出力画像は、表示又は印刷可能なファイルに出力されてもよい。具体的には、例えばｐｄｆ（Portable Document Format）のような電子文書データ形式、あるいはＴＩＦＦ（Tagged Image File Format）やＪＰＥＧ（Joint Photographic Experts Group）のような画像データ形式など、周知の各種データ形式でファイルを出力してもよい。
【００８７】
なお、以上説明した例示的な実施形態から明らかなように、本明細書で説明した画像処理装置は、更に以下に挙げるような構成を備えていてもよい。
まず、本明細書で説明した画像処理装置において、処理部は、第一の画像のサイズ、及び余白サイズ設定処理によって設定された余白のサイズに基づいて、第一読み取り処理における読み取りサイズを算出する読み取りサイズ算出処理を実行可能に構成され、第一読み取り処理においては、読み取りサイズ算出処理によって算出された読み取りサイズの範囲内を読み取り対象として画像を読み取ることにより、第一の画像に加えて余白となる画像である余白画像をも読み取り、画像形成処理においては、第一の画像及び余白画像を形成し、余白画像と隣接する位置に第二の画像を形成することにより、第一の画像と第二の画像との間に余白が設けられてもよい。
【００８８】
このように構成された画像処理装置によれば、第一読み取り処理において、第一の画像
に加えて余白画像をも読み取る。画像形成処理では、画像形成領域内に第一の画像及び余白画像が形成され、余白画像と隣接する位置に第二の画像が形成され、これにより、第一の画像と第二の画像との間に余白が設けられる。
【００８９】
したがって、第一読み取り処理を実行するだけで、第一の画像及び余白画像を一括で得ることができるので、第一の画像を読み取る処理とは別に、余白画像を作成する処理を実行しなくても済む。
【００９０】
また、本明細書で説明した画像処理装置において、読み取り部は、一方向に配列された複数の受光素子を有し、受光素子が配列された方向を主走査方向、主走査方向に直交する方向を副走査方向として、支持部に沿って副走査方向へ移動しながら、受光素子によって第一の画像及び第二の画像それぞれを読み取り可能に構成され、第一読み取り処理において、主走査方向については、あらかじめ定められた原点の位置と、当該原点の位置から第一の画像及び余白のサイズ分だけ離間した位置との間の範囲が読み取り対象とされ、副走査方向については、あらかじめ定められた原点の位置と、当該原点の位置から第一の画像のサイズ分だけ離間した位置との間の範囲が読み取り対象とされてもよい。
【００９１】
このように構成された画像処理装置によれば、第一読み取り処理において、第一の画像及び余白の形成に必要となる範囲だけを読み取ることができる。したがって、画像形成には不要な領域を冗長に読み取るように構成されている場合に比べ、読み取り処理で必要なメモリを削減することができる。
【００９２】
また、本明細書で説明した画像処理装置において、第二読み取り処理において、主走査方向については、あらかじめ定められた原点の位置と、当該原点の位置から第二の画像のサイズ分だけ離間した位置との間の範囲が読み取り対象とされ、副走査方向については、あらかじめ定められた原点の位置と、当該原点の位置から第二の画像のサイズ分だけ離間した位置との間の範囲が読み取り対象とされてもよい。
【００９３】
このように構成された画像処理装置によれば、第二読み取り処理において、第二の画像の形成に必要となる範囲だけを読み取ることができる。したがって、画像形成には不要な領域を冗長に読み取るように構成されている場合に比べ、読み取り処理で必要なメモリを削減することができる。
【００９４】
また、本明細書で説明した画像処理装置において、処理部は、余白のサイズに関する複数の選択肢があらかじめ用意され、複数の選択肢の中から利用者操作によって指定される一つの選択肢を選択する余白サイズ選択処理を実行可能に構成され、余白サイズ設定処理においては、余白サイズ選択処理において選択された一つの選択肢に対応する余白のサイズが設定されてもよい。
【００９５】
このように構成された画像処理装置によれば、第一の画像と第二の画像との間に設けられる余白のサイズを、あらかじめ用意された選択肢の中から選ぶだけで容易に設定することができる。
【００９６】
また、本明細書で説明した画像処理装置において、余白サイズ選択処理において、複数の選択肢には、少なくとも第一の選択肢及び第二の選択肢が含まれ、第一の選択肢及び第二の選択肢のいずれが選択された場合であっても、画像形成処理においては、画像形成領域がｎ個（ただしｎは２以上の整数。）の領域に分割され、それら分割後の領域であるｎ個の分割領域のうち、隣り合う位置にある二つの分割領域の一方に第一の画像が形成されて他方に第二の画像が形成され、それら第一の画像と第二の画像との間に、余白サイズ選択処理において選択された一つの選択肢に対応するサイズの余白が設けられ、第二の選択
肢が選択された場合には、第一の選択肢が選択された場合に比べ、第一の画像と第二の画像との間に設けられる余白のサイズが小さくされてもよい。
【００９７】
このように構成された画像処理装置によれば、第二の選択肢が選択された場合には、第一の選択肢が選択された場合に比べ、第一の画像と第二の画像が近接した位置に形成される。そのため、例えば、第一の選択肢を選択すれば、第一の画像と第二の画像との間に十分な余白を設けることができる。また、第二の選択肢を選択すれば、第一の選択肢を選択した場合に比べ、第一の画像と第二の画像をより近づけた位置に形成することができる。したがって、例えば、第一の画像と第二の画像との間に跨がるように印鑑（スタンプ）を押す必要がある場合等に便利である。
【００９８】
また、本明細書で説明した画像処理装置において、画像形成領域となる面を有する被記録媒体に対して画像を形成可能な画像形成部を備えており、処理部は、画像形成処理においては、画像形成部によって被記録媒体に第一の画像及び第二の画像を形成してもよい。
【００９９】
このように構成された画像処理装置によれば、画像形成部によって被記録媒体に第一の画像及び第二の画像を形成することができる。その際、第一の画像及び第二の画像の双方が被記録媒体に収まるようなサイズの余白を、第一の画像と第二の画像との間に設けることができる。
【０１００】
また、本明細書で説明した画像処理装置において、処理部は、被記録媒体のサイズに関する複数の選択肢があらかじめ用意され、複数の選択肢の中から利用者操作によって指定される一つの選択肢を選択する媒体サイズ選択処理を実行可能に構成され、画像形成処理において、媒体サイズ選択処理において選択された被記録媒体のサイズに応じて、余白のサイズを設定可能に構成されていてもよい。
【０１０１】
このように構成された画像処理装置によれば、媒体サイズ選択処理において選択された被記録媒体のサイズに応じて、余白のサイズを最適にすることができる。
また、本明細書で説明した画像処理装置において、処理部は、被記録媒体のサイズを検出する検出処理を実行可能に構成され、画像形成処理においては、検出処理によって検出された被記録媒体のサイズに応じて、余白のサイズを設定可能に構成されていてもよい。
【０１０２】
このように構成された画像処理装置によれば、検出部によって検出された被記録媒体のサイズに応じて、余白のサイズを最適にすることができる。
【符号の説明】
【０１０３】
１…複合機、１１…処理部、１２…読み取り部、１３…画像形成部、１４…補助記憶部、１５…操作部、１６…表示部、１７…通信部、２０…フラットベッド部、２１…プラテン、２３…イメージセンサ、２５…ステッピングモータ、２７…ギヤ機構、２９…歯付きベルト、３１…キャリッジ、３３…ガイド部、３５…トップカバー、３７…マーク、４１…カード、４１Ａ…表面、４１Ｂ…裏面、５０…被記録媒体、５１Ａ…第一の画像、５１Ｂ…第二の画像、５８…印影。
【図１】
0006701658.tif 000002
【図２】
0006701658.tif 000003
【図３】
0006701658.tif 000004
【図４】
0006701658.tif 000005
【図５】
0006701658.tif 000006
【図６】
0006701658.tif 000007
【図７】
0006701658.tif 000008
【図８】
0006701658.tif 000009
【図９】
0006701658.tif 000010
【図１０】
0006701658.tif 000011